(57)【要約】【課題】煩雑な動作を必要とせず、デバイス間で近距離通信を行うことのできるデータ交換システムを提供する。【解決手段】本発明に係るデータ交換システム１は、携帯端末１００とコンピュータ２００とが近距離通信によってデータの交換を行うデータ交換システムであって、携帯端末が、ＧＰＳ衛星１０からの位置情報を受信するＧＰＳモジュール１３０と、コンピュータとの近距離通信を行う近距離通信モジュール１２０とを備えると共に、あらかじめ登録された第１の位置情報と、ＧＰＳモジュールから受信した第２の位置情報とを比較する住所データ比較部１５２を有し、携帯端末およびコンピュータが、住所データ比較部が第１および第２の位置情報が概略一致していると判断した場合に、近距離通信モジュールを利用して携帯端末とコンピュータとの間で近距離通信を行う近距離通信部１５３および２２１を有する。【選択図】図１
2010011081.tif 000002
【特許請求の範囲】
【請求項１】
携帯端末とコンピュータとが近距離通信によってデータの交換を行うデータ交換システムであって、
前記携帯端末が、ＧＰＳ衛星からの位置情報を受信するＧＰＳモジュールと、前記コンピュータとの近距離通信を行う近距離通信モジュールとを備えると共に、あらかじめ登録された第１の位置情報と、前記ＧＰＳモジュールから受信した第２の位置情報とを比較する住所データ比較部を有し、
前記携帯端末および前記コンピュータが、前記住所データ比較部が前記第１および第２の位置情報が概略一致していると判断した場合に、前記近距離通信モジュールを利用して前記携帯端末と前記コンピュータとの間で近距離通信を行う近距離通信部を有することを特徴とするデータ交換システム。
【請求項２】
前記近距離通信が通信規格であるブルートゥースに準拠していることを特徴とする、請求項１に記載のデータ交換システム。
【請求項３】
前記携帯端末および前記コンピュータが、前記ブルートゥースに準拠した同期プロファイルを利用して対象データの同期を行うデータ同期部を有することを特徴とする、請求項２に記載のデータ交換システム。
【請求項４】
前記携帯端末から町名・番地形式の住所データを受信して、前記住所データを経度・緯度形式に変換して前記携帯端末に返信する住所サーバを備え、
前記携帯端末は、ユーザが入力した町名・番地形式の前記住所データを前記住所サーバに送信し、前記住所サーバから受信した経度・緯度形式の住所データを前記第１の位置情報とする住所データ変換部を有することを特徴とする、請求項２に記載のデータ交換システム。
【請求項５】
コンピュータと近距離通信によってデータの交換を行う携帯端末であって、
ＧＰＳ衛星からの位置情報を受信するＧＰＳモジュールと、
前記コンピュータとの近距離通信を行う近距離通信モジュールと、
あらかじめ登録された第１の位置情報と、前記ＧＰＳモジュールから受信した第２の位置情報とを比較する住所データ比較部と、
前記住所データ比較部が前記第１および第２の位置情報が概略一致していると判断した場合に、前記近距離通信モジュールを利用して前記コンピュータとの近距離通信を行う近距離通信部とを有することを特徴とする携帯端末。
【請求項６】
携帯端末とコンピュータとが近距離通信によってデータの交換を行うデータ交換方法であって、
前記携帯端末が、ＧＰＳ衛星からの位置情報を受信し、
前記携帯端末が、あらかじめ登録された第１の位置情報と、前記ＧＰＳモジュールから受信した第２の位置情報とを比較して概略一致しているか否かを判断し、
前記第１および第２の位置情報が概略一致していると判断された場合に、前記携帯端末と前記コンピュータとが相互間で近距離通信を行うことを特徴とするデータ交換方法。
【請求項７】
コンピュータと近距離通信によってデータの交換を行う携帯端末を制御するコンピュータに、
ＧＰＳ衛星からの位置情報を受信する処理と、
あらかじめ登録された第１の位置情報と、前記ＧＰＳモジュールから受信した第２の位置情報とを比較して概略一致しているか否かを判断する処理と、
前記第１および第２の位置情報が概略一致していると判断された場合に、前記携帯端末と前記コンピュータとの間で近距離通信を行う処理とを実行させることを特徴とするデータ交換プログラム。
【発明の詳細な説明】
【技術分野】
【０００１】
本発明はデバイス間での近距離通信に関し、特にそのような近距離通信を利用したデバイス間での情報の同期に関する。
【背景技術】
【０００２】
ブルートゥース（Bluetooth、登録商標）は、携帯情報機器などで数m程度のデバイス間接続に使われる短距離無線通信技術の一つである。たとえばパーソナルコンピュータと、携帯電話もしくはＰＤＡ（Personal Digital Assistant）などとの間でデータの交換を行うことができる。
【０００３】
ブルートゥース技術の中では様々なプロファイルが定義されているが、中でも同期プロファイル（Synchronization Profile）は、ブルートゥース対応デバイス間でＰＩＭ（Personal Information Manager）の項目、たとえばカレンダー情報やアドレス情報などの同期を行うためのものである。非特許文献１および２は、この同期プロファイルについて説明するものである。なお、ここでいうデータの同期とは、対象となるデータを比較し、両者の間で異なる部分があれば新しい側の内容に揃える処理をいう。
【０００４】
特許文献１には、ＧＰＳ（Global Positioning System）を利用して携帯端末が自動車に接近したことを検出してハンズフリー通話モードに移行するという技術が記載されている。特許文献２には、やはりＧＰＳを利用して、携帯端末が赤外線通信が可能な機器に接近した否かを判断して、赤外線通信するか無線通信するかを切り替えるという技術が記載されている。
【０００５】
【特許文献１】特開２００６−２８７６４４号公報
【特許文献２】特開２００７−２２１４６６号公報
【非特許文献１】BluetoothSIG、「同期プロファイル(SYNC : Synchronization Profile)」、［online］、Bluetooth SIG、［平成２０年６月２４日検索］、インターネット＜ＵＲＬ：http://japanese.bluetooth.com/Bluetooth/Technology/Works/SYNC.htm＞
【非特許文献２】BluetoothSIG、「SYNCHRONIZATIONPROFILE」、［online］、Bluetooth SIG、［平成２０年６月２４日検索］、インターネット＜ＵＲＬ：http://japanese.bluetooth.com/NR/rdonlyres/8EE6515E-5D36-458D-9BA6-A6B3ED9EAA11/987/SYNCH_SPEC_V12.pdf＞
【発明の開示】
【発明が解決しようとする課題】
【０００６】
ブルートゥース対応デバイス間で同期プロファイルを利用して情報の同期を行うためには、多くの場合、ブルートゥース機能を起動して接続（Connection）を確立し、同期する対象となるデータを選択する、などのような煩雑な操作を伴う。ちなみに前述の特許文献１および２は、ＧＰＳによって携帯端末が他の装置に接近したことを検出しているが、情報の同期の操作が煩雑であるという問題を解決するものではない。
【０００７】
本発明の目的は、そのような煩雑な動作を必要とせず、デバイス間で近距離通信を行うことのできるデータ交換システム、携帯端末、データ交換方法およびプログラムを提供することにある。
【課題を解決するための手段】
【０００８】
上記目的を達成するため、本発明に係るデータ交換システムは、携帯端末とコンピュータとが近距離通信によってデータの交換を行うデータ交換システムであって、携帯端末が、ＧＰＳ衛星からの位置情報を受信するＧＰＳモジュールと、コンピュータとの近距離通信を行う近距離通信モジュールとを備えると共に、あらかじめ登録された第１の位置情報と、ＧＰＳモジュールから受信した第２の位置情報とを比較する住所データ比較部を有し、携帯端末およびコンピュータが、住所データ比較部が第１および第２の位置情報が概略一致していると判断した場合に、近距離通信モジュールを利用して携帯端末とコンピュータとの間で近距離通信を行う近距離通信部を有することを特徴とする。
【０００９】
上記目的を達成するため、本発明に係る携帯端末は、コンピュータと近距離通信によってデータの交換を行う携帯端末であって、ＧＰＳ衛星からの位置情報を受信するＧＰＳモジュールと、コンピュータとの近距離通信を行う近距離通信モジュールと、あらかじめ登録された第１の位置情報と、ＧＰＳモジュールから受信した第２の位置情報とを比較する住所データ比較部と、住所データ比較部が第１および第２の位置情報が概略一致していると判断した場合に、近距離通信モジュールを利用してコンピュータとの近距離通信を行う近距離通信部とを有することを特徴とする。
【００１０】
上記目的を達成するため、本発明に係るデータ交換方法は、携帯端末とコンピュータとが近距離通信によってデータの交換を行うデータ交換方法であって、携帯端末が、ＧＰＳ衛星からの位置情報を受信し、携帯端末が、あらかじめ登録された第１の位置情報と、ＧＰＳモジュールから受信した第２の位置情報とを比較して概略一致しているか否かを判断し、第１および第２の位置情報が概略一致していると判断された場合に、携帯端末とコンピュータとの間で近距離通信を行うことを特徴とする。
【００１１】
上記目的を達成するため、本発明に係るデータ交換プログラムは、コンピュータと近距離通信によってデータの交換を行う携帯端末を制御するコンピュータに、ＧＰＳ衛星からの位置情報を受信する処理と、あらかじめ登録された第１の位置情報と、ＧＰＳモジュールから受信した第２の位置情報とを比較して概略一致しているか否かを判断する処理と、第１および第２の位置情報が概略一致していると判断された場合に、携帯端末とコンピュータとの間で近距離通信を行う処理とを実行させることを特徴とする。
【発明の効果】
【００１２】
本発明は、ＧＰＳを利用して携帯端末がコンピュータに接近したことを判断してから近距離通信を行うように構成したので、煩雑な動作を必要とせず、デバイス間で近距離通信を行うことができるという、従来にない優れたデータ交換システム、携帯端末、データ交換方法およびプログラムを提供することができる。
【発明を実施するための最良の形態】
【００１３】
図１は、本発明の実施の形態に係るデータ交換システム１の構成を表す概念図である。データ交換システム１は、携帯電話１００とユーザの自宅に設置されているパーソナルコンピュータ２００とからなる。携帯電話１００およびパーソナルコンピュータ２００は、いずれもブルートゥースに準拠した通信が可能であり、相互にデータ通信を行うことが可能である。さらに携帯電話１００は、通常のデータ通信によって住所サーバ５０と接続可能であり、またＧＰＳ衛星１０からの位置情報を受信することも可能である。
【００１４】
図２は、図１で示した携帯電話１００内部の構成を示す機能ブロック図である。携帯電話１００は、制御部１０１、記憶部１０２、通常通信モジュール１１０、通常通信用アンテナ１１１、ブルートゥース通信モジュール１２０、ブルートゥース用アンテナ１２１、ＧＰＳモジュール１３０、およびＧＰＳアンテナ１３１からなる。
【００１５】
制御部１０１は、ＣＰＵ、ＲＡＭ、ＯＳなどを含めた、アプリケーションプログラムを実行する主体である。記憶部１０２はハードディスクやフラッシュメモリなどのような不揮発性記憶装置であり、以後で説明する動作で同期の対象となるデータである対象データ１０３を記憶している。
【００１６】
通常通信モジュール１１０は、通常通信用アンテナ１１１を制御して、通常の通話やデータ通信に係る通信を行うことができる。ブルートゥース通信モジュール１２０は、ブルートゥース用アンテナ１２１を制御して、他のブルートゥース準拠の機器と通信を行うことができる。ＧＰＳモジュール１３０は、ＧＰＳアンテナ１３１を制御して、ＧＰＳ衛星１０から位置情報を受信することができる。
【００１７】
図３は、図１で示したパーソナルコンピュータ２００内部の構成を示す機能ブロック図である。パーソナルコンピュータ２００は、制御部２０１、記憶部２０２、ブルートゥース通信モジュール２１０、およびブルートゥース用アンテナ２１１からなる。制御部２０１は、ＣＰＵ、ＲＡＭ、ＯＳなどを含めた、プログラムを実行する主体である。記憶部２０２は、情報交換の対象となるデータである対象データ２０３を記憶している。ブルートゥース通信モジュール２１０は、ブルートゥース用アンテナ２１１を制御して、他のブルートゥース準拠の機器と通信を行うことができる。
【００１８】
また、携帯電話１００は通常通信モジュール１１０を介して住所サーバ５０と通信可能である。住所サーバ５０は、携帯電話１００から受信した「○○県○○市○○町○−○−○」などのような形式（以後町名・番地形式という）の住所データを、「東経○○○度○○分○○秒、北緯○○度○○分○○秒」などのような形式（以後経度・緯度形式という）に変換して携帯電話１００に返す。
【００１９】
いま、携帯電話１００の対象データ１０３とパーソナルコンピュータ２００の対象データ２０３との間でデータの同期を取るために、携帯電話１００はパーソナルコンピュータ２００との間でブルートゥースによる通信を行おうとしている。その処理のために制御部１０１はデータ同期アプリケーション１５０を実行する。
【００２０】
図２に戻って、データ同期アプリケーション１５０は、住所データ変換部１５１、住所データ比較部１５２、ブルートゥース通信部１５３、データ同期部１５４とからなる。住所データ変換部１５１は、町名・番地形式の住所を通常通信モジュール１１０を介して住所サーバ５０に送信し、住所サーバ５０から通常通信モジュール１１０を介して経度・緯度形式の住所データを受信する。
【００２１】
住所データ比較部１５２は、ＧＰＳモジュール１３０を介して、ＧＰＳ衛星１０から位置情報を受信し、住所データ変換部１５１が住所サーバ５０から受信した経度・緯度形式の住所データと比較する。ブルートゥース通信部１５３は、ブルートゥース通信モジュール１２０を起動して他のブルートゥース準拠の機器と通信を行う。
【００２２】
データ同期部１５４は、公知の同期プロファイル（Synchronization Profile）に基づいて、他の機器から取得した対象データと自らの対象データとを比較してデータの同期の処理を行う。なお、ブルートゥース通信部１５３には、通信相手としてあらかじめパーソナルコンピュータ２００が登録され、さらに同期を行う対象として対象データ１０３が登録されている。
【００２３】
図３に戻って、パーソナルコンピュータ２００の側にも、制御部２０１によって実行されるデータ同期アプリケーション２２０が存在する。データ同期アプリケーション２２０は、ブルートゥース通信部２２１、データ同期部２２２を有する。
【００２４】
ブルートゥース通信部２２１は、ブルートゥース通信モジュール２１０を起動して他のブルートゥース準拠の機器と通信を行う。データ同期部２２２は、公知の同期プロファイル（Synchronization Profile）に基づいて、他の機器から取得したプロファイルと自らのプロファイルとを比較し、データの同期を行う。なお、ブルートゥース通信部２２１には、通信相手としてあらかじめ携帯電話１００が登録され、さらに同期を行う対象として対象データ２０３が登録されている。
【００２５】
図４は、図１で示した携帯電話１００およびパーソナルコンピュータ２００が、対象データ１０３および２０３の同期を取るために行う処理を表すフローチャートである。まずユーザは、携帯電話１００にパーソナルコンピュータ２００が設置されている自宅の住所を入力する（ステップＳ３０１）。その際、ユーザが入力した町名・番地形式の住所を制御部１０１は通常通信モジュール１１０を介して住所サーバ５０に送信し、住所サーバ５０から経度・緯度形式の位置情報（以後、第１の位置情報という）を受信する（ステップＳ３０２）。
【００２６】
そして制御部１０１はＧＰＳモジュール１３０を介して、ＧＰＳ衛星１０から位置情報（以後、第２の位置情報という）を受信する（ステップＳ３０３）。第２の位置情報は、経度・緯度形式である。制御部１０１は、前述の第１および第２の位置情報を比較する（ステップＳ３０４）。第１および第２の位置情報が異なっていれば、任意の待ち時間経過後にステップＳ３０３に戻り、第２の位置情報の取得からやり直す（ステップＳ３０５）。
【００２７】
第１および第２の位置情報が所定の誤差範囲（パーソナルコンピュータ２００とブルートゥース通信が可能な範囲内であることを目安とする）内で一致すれば、携帯電話１００はパーソナルコンピュータ２００が設置されている自宅にいると判断できるので、続いてブルートゥース通信部１５３が、ブルートゥース通信モジュール１２０が現在起動している状態であるか否かを判断する（ステップＳ３０６）。ブルートゥース通信モジュール１２０が起動していればそのままステップＳ３０８に進み、起動していなければブルートゥース通信モジュール１２０を起動する処理を行ってから（ステップＳ３０７）、ステップＳ３０８に進む。
【００２８】
ブルートゥース通信部１５３は、あらかじめブルートゥース通信モジュール１２０に登録されている通信相手であるパーソナルコンピュータ２００との接続を確立し（ステップＳ３０８）、データ同期部１５４は公知の同期プロファイル（Synchronization Profile）に基づくデータの同期の処理を開始する（ステップＳ３０９）。
【００２９】
なお、ステップＳ３０８に呼応して、パーソナルコンピュータ２００の側でもブルートゥース通信部２２１がブルートゥース通信モジュール２１０を起動して、あらかじめブルートゥース通信モジュール２１０に登録されている通信相手である携帯電話１００との接続を確立し（ステップＳ３５１）、ステップＳ３０９に呼応して、データ同期部２２２が公知の同期プロファイル（Synchronization Profile）に基づいてデータの同期を行う（ステップＳ３５２）。
【００３０】
上述したように、以上で述べた動作では、ユーザは何も操作を行っていない（ステップＳ３０１の住所の入力を除いて）。ただ、携帯電話１００を持ったユーザがパーソナルコンピュータ２００に接近するだけで行われる。従って、発明が解決しようとする課題の欄で説明したような煩雑な動作は、本実施の形態では必要とされていない。
【００３１】
なお、以上で説明した実施の形態は、ブルートゥース技術において公知の同期プロファイル（Synchronization Profile）によってデータの同期を行うものであるが、近距離通信であればそれ以外の通信方法、たとえば無線ＬＡＮのＩＥＥＥ８０２．１１シリーズ、ワイヤレスＵＳＢ、赤外線通信のＩｒＤＡなどを利用してもよい。またデータ交換の対象もＰＩＭのデータ項目に限られるものではなく、またデータの同期にも限られない。
【００３２】
さらに、携帯電話１００のかわりに、たとえばＰＤＡなどを使用することもでき、パーソナルコンピュータ２００の設置される場所は「自宅」でなくても、たとえば職場などでもよい。そして住所サーバ５０を利用せず、携帯電話１００が自ら町名・番地形式の住所を経度・緯度形式の位置情報に変換する機能を持つようにしてもよい。
【００３３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００３４】
近距離通信を利用したデバイス間での情報の同期に利用できる。
【図面の簡単な説明】
【００３５】
【図１】本発明の実施の形態に係るデータ交換システムの構成を表す概念図である。
【図２】図１で示した携帯電話内部の構成を示す機能ブロック図である。
【図３】図１で示したパーソナルコンピュータ内部の構成を示す機能ブロック図である。
【図４】図１で示した携帯電話およびパーソナルコンピュータが、対象データの同期を取るために行う処理を表すフローチャートである。
【符号の説明】
【００３６】
１  データ交換システム
１０  ＧＰＳ衛星
５０  住所サーバ
１００  携帯電話
１０１  制御部
１０２  記憶部
１０３  対象データ
１１０  通常通信モジュール
１１１  通常通信用アンテナ
１２０  ブルートゥース通信モジュール
１２１  ブルートゥース用アンテナ
１３０  ＧＰＳモジュール
１３１  ＧＰＳアンテナ
１５０  データ同期アプリケーション
１５１  住所データ変換部
１５２  住所データ比較部
１５３  ブルートゥース通信部
１５４  データ同期部
２００  パーソナルコンピュータ
２０１  制御部
２０２  記憶部
２０３  対象データ
２１０  ブルートゥース通信モジュール
２１１  ブルートゥース用アンテナ
２２０  データ同期アプリケーション
２２１  ブルートゥース通信部
２２２  データ同期部
【図１】
2010011081.tif 000003
【図２】
2010011081.tif 000004
【図３】
2010011081.tif 000005
【図４】
2010011081.tif 000006